(57)【要約】音声及び／又はビデオ電話を強化するためにスマートＴＶの機能を使用する方法は、第１のスマートフォンにより、近傍のスマートＴＶを発見するステップと、第１のスマートフォンとスマートＴＶとの通信を確立するステップと、第１のスマートフォンにより、スマートＴＶの機能をチェックするステップと、第１のスマートフォンと第２のスマートフォンとの直接通信を強化する又は第１のスマートフォンでのアプリケーションの実行を強化するためにスマートＴＶの機能を使用するステップと、を備える。【選択図】図２
2016514380.tif 000002
【特許請求の範囲】
【請求項１】
音声及び／又はビデオ電話を強化するためにスマートＴＶの機能を使用する方法であって、
第１のスマートフォンと第２のスマートフォンとの直接通信を確立するステップと、
前記第１のスマートフォンにより、近傍のスマートＴＶを発見するステップと、
前記第１のスマートフォンと前記スマートＴＶとの通信を確立するステップと、
前記第１のスマートフォンにより、前記スマートＴＶの機能をチェックするステップと、
前記スマートＴＶの機能に応じて前記第１のスマートフォンの機能を更新するステップと、
前記第１のスマートフォンと前記第２のスマートフォンとの直接通信を強化するために前記スマートＴＶの機能を使用するステップと、を備え、
前記スマートＴＶの機能は、音声復号化／符号化、映像復号化／符号化、及びサポートされる音声／映像フォーマットからなる群から選択される、方法。
【請求項２】
前記強化することは、
前記第１のスマートフォンにより、前記第２のスマートフォンから音声／映像データを受信するステップと、
受信された前記音声／映像データを、前記スマートＴＶで受け入れな可能なフォーマットに符号化するステップと、
符号化された前記音声／映像データを前記スマートＴＶへ伝えるステップと、
前記音声／映像データを前記スマートＴＶで再生するステップと、
を備える請求項１に記載の方法。
【請求項３】
前記強化することは、
前記スマートＴＶにより音声／映像データをキャプチャするステップと、
前記音声／映像データを前記第１のスマートフォンへ伝えるステップと、
受信された前記音声／映像データを復号化するステップと、
復号化された前記音声／映像データを符号化するステップと、
符号化された前記音声／映像データを前記第２のスマートフォンへ伝えるステップと、
を備える請求項１に記載の方法。
【請求項４】
前記電話は、ＶｏＩＰ電話である請求項１に記載の方法。
【請求項５】
スマートフォンでアプリケーションを実行することによりスマートＴＶの機能を使用する方法であって、
スマートフォンにより、近傍のスマートＴＶを発見するステップと、
前記スマートフォンと前記スマートＴＶとの通信を確立するステップと、
前記スマートフォンにより、前記スマートＴＶの機能をチェックするステップと、
前記スマートフォンでアプリケーションを実行することにより前記スマートＴＶの機能を使用するステップと、を備え、
前記スマートＴＶの機能は、音声復号化／符号化、映像復号化／符号化、及びサポートされる音声／映像フォーマットからなる群から選択される、方法。
【請求項６】
前記使用するステップは、
前記音声／映像データを、前記スマートＴＶで受け入れ可能なフォーマットに符号化するステップと、
符号化された前記音声／映像データを前記スマートＴＶへ伝えるステップと、
前記音声／映像データを前記スマートＴＶで再生するステップと、
を備える請求項５に記載の方法。
【発明の詳細な説明】
【技術分野】
【０００１】
本発明は、スマートデバイス間でのデータ通信に関するものであり、特に、スマートＴＶを使用する音声／ビデオスマートフォン電話を強化することに関する。
【０００２】
関連出願の相互参照
本願は、２０１３年１月１５日付けで提出された米国特許仮出願番号第６１／７５２，６２４号の関連出願であり、優先権の利益を主張し、この米国特許仮出願は、その全体を参照により本明細書に援用される。
【背景技術】
【０００３】
Ｓａｍｓｕｎｇ  Ｓｍａｒｔ  ＴＶのようなスマートＴＶは、今日、アプリケーションを動作する機能を有しており、他のデバイス（例えば、Ａｎｄｒｏｉｄスマートフォン）で動作するアプリケーションとインタラクトする。
【０００４】
ユーザは、既に、Ａｐｐｌｅ社のＡｉｒＰｌａｙのような技術を使用することができ、音声及び映像を、より大きな画面で閲覧されるＴＶへ送信している。
【０００５】
また、スマートＴＶは、現在、ビデオカメラ及びマイクを一体化することにより、音声及び映像を記録するための機能を備えている。
【０００６】
ブルートゥース（登録商標）、Ａｐｐｌｅ  Ｂｏｎｊｏｕｒ及びＱｕａｌｃｏｍｍ  ＡｌｌＪｏｙｎのような互いに“近接するもの”へ行くデバイス間の発見及び通信を可能にする技術がある。
【０００７】
スマートフォンを使用して通じる電話又はＶｏＩＰ電話を強化する際にスマートＴＶのマイク及びカメラから恩恵を受けるこれらの技術を使用することは有利となる。
【発明の概要】
【０００８】
本発明の一態様によれば、音声及び／又はビデオ電話を強化するためにスマートＴＶの機能を使用する方法であって、前記第１のスマートフォンにより、近傍のスマートＴＶを発見するステップと、前記第１のスマートフォンと前記スマートＴＶとの通信を確立するステップと、前記第１のスマートフォンにより、前記スマートＴＶの機能をチェックするステップと、前記第１のスマートフォンと前記第２のスマートフォンとの直接通信を強化するために前記スマートＴＶの機能を使用するステップと、を備える方法を提供する。
【０００９】
前記機能は、音声符号化／復号化、映像符号化／復号化、及びサポートされる音声／映像フォーマットからなる群から選択されてもよい。
【００１０】
前記強化することは、前記第１のスマートフォンにより、第２のスマートフォンから音声／映像データを受信するステップと、受信された前記音声／映像データを、前記スマートＴＶで受け入れ可能なフォーマットに符号化するステップと、符号化された前記データを前記スマートＴＶへ伝えるステップと、前記音声／映像データを前記スマートＴＶで再生するステップと、を備えてもよい。
【００１１】
前記強化することは、前記スマートＴＶにより音声／映像データをキャプチャするステップと、前記音声／映像データを前記第１のスマートフォンへ伝えるステップと、受信された前記音声／映像データを復号化するステップと、復号化された前記音声／映像データを符号化するステップと、符号化された前記音声／映像データを前記第２のスマートフォンへ伝えるステップと、を備えてもよい。前記電話は、ＶｏＩＰ電話であってもよい。
【００１２】
本発明の別の態様によれば、スマートフォンで実行するアプリケーションを強化するためにスマートＴＶの機能を使用する方法であって、スマートフォンにより、近傍のスマートＴＶを発見するステップと、前記スマートフォンと前記スマートＴＶとの通信を確立するステップと、前記スマートフォンにより、前記スマートＴＶの機能をチェックするステップと、前記スマートフォンで実行するアプリケーションを強化するために前記スマートＴＶの機能を使用するステップと、を備える。前記機能は、音声符号化／復号化、映像符号化／復号化、及びサポートされる音声／映像フォーマットからなる群から選択されてもよい。
【００１３】
前記強化することは、音声／映像データを前記スマートＴＶにより受け入れ可能なフォーマットに符号化するステップと、符号化された前記音声／映像データを前記スマートＴＶへ伝えるステップと、前記音声／映像データを前記スマートＴＶで再生するステップと、を備えてもよい。
【図面の簡単な説明】
【００１４】
【図１】図１は、２つのスマートフォン間での標準的な携帯電話での電話又はＶｏＩＰ電話時の既存のデータ経路を概略的に示す。
【図２】図２は、本発明に係る２つのスマートフォン間での標準的な携帯電話での電話又はＶｏＩＰ電話時のデータ経路を概略的に示す。
【図３】図３は、スマートフォンとスマートＴＶとでの通信を確立するために取られるステップを示すフローチャートである。
【図４】図４は、着信音声／映像ストリームの扱いを示すフローチャートである。
【図５】図５は、発信音声／映像ストリームのハンドリングを示すフローチャートである。
【発明を実施するための形態】
【００１５】
本発明は、Ｓａｍｓｕｎｇ  Ｓ３スマートフォンのような別のデバイス上で動作するアプリケーションにより使用されるスマートＴＶでのカメラ及びマイクのための手法を提供する。
【００１６】
例えば、第１のデバイス（この場合Ｓａｍｓｕｎｇ  Ｓ３）で通話中であり、かつ第１のデバイスが、第２のデバイス（スマートＴＶ）を検出したとき、第２のデバイスを通じて（自動的に又はユーザ要求を介して）動作するために電話の一部又は全部を切り替えることができる。例えば、音声及び映像は、第２のデバイスへストリームされ、より大きな画面で再生されうる。第２のデバイスからの入力は、第１のデバイスへ（“未加工（ｒａｗ）”又は例えば、特定の“コーデック”を用いた圧縮のような処理後）ストリームされ、それらを単に異なるデバイスから来たものとして扱う。
【００１７】
図１は、２つのスマートフォン間の標準的な携帯電話での電話又はＶｏＩＰ電話時の既存のデータ（音声／ビデオ）経路を概略的に示す。データは、適切な通信チャネル（それぞれＧＳＭ（登録商標）／ＣＤＭＡ又はインターネット）１２０を通じて２つのエンドポイント（１００，１１０）間で転送される。
【００１８】
図２は、本発明に係る、適切な通信チャネル（それぞれＧＳＭ（登録商標）／ＣＤＭＡ又はインターネット）２２０を通じて、２つのスマートフォン間（２００，２１０）での標準的な携帯電話での電話又はＶｏＩＰ電話時のデータ（音声／ビデオ）経路を概略的に示す。
【００１９】
ブルートゥース（登録商標）、Ａｐｐｌｅ  Ｂｏｎｊｏｕｒ及びＱｕａｌｃｏｍｍ  ＡｌｌＪｏｙｎのような互いに“近接するもの”へ行くデバイス間の発見及び通信を可能にする既存の技術のいくつかのうちの１つを用いて、スマートフォン２００は、近傍のスマートＴＶ２３０を“発見する”と仮定する。
【００２０】
図３は、スマートフォン２００とスマートＴＶ２３０とでの通信を確立するために取られるステップを示すフローチャートである。
【００２１】
ステップ３００では、スマートフォン２００は、スマートフォン２１０と通話（標準的な又はＶｏＩＰ）状態である。２つの通信しているスマートフォン間でいくつかのネゴシエーションが行われ、それぞれで復号化されうるフォーマットを確立することが理解される。
【００２２】
ステップ３１０では、スマートフォン２００は、近傍のスマートＴＶ２３０を“発見する”。
【００２３】
スマートフォン２００によるスマートＴＶ２３０の“発見”は、通話開始前に行われることがわかる。
【００２４】
ステップ３２０では、使用される技術の要求（例えば、ブルートゥースペアリングのためのパスキーの交換）に応じて、スマートフォン２００とスマートＴＶ２３０との間で通信が確立される。
【００２５】
ステップ３３０では、スマートフォン２００は、スマートＴＶとのハンドシェイキングを行い、音声及び／又はビデオを記録可能であるか、フォーマットがサポートされるかどうか等のようなスマートＴＶ２３０の機能をチェックする。
【００２６】
スマートフォン２００は、ここで、スマートフォン２１０へ告知する機能を更新することができる。例えば、スマートＴＶは、Ｈ２６４ビデオを復号化することができるが、スマートフォンはできない。これは、スマートフォンがその拡張機能を報告する更新をトリガーとする。
【００２７】
通信が確立され、定義されると、スマートフォン２００と２１０との通話は、スマートＴＶ２３０の参加により継続する。
【００２８】
図４は、着信音声／映像ストリームの扱いを示すフローチャートである。
【００２９】
ステップ４００では、スマートフォン２００は、音声／映像コーデックを用いて、スマートフォン２１０から受信される音声／映像ストリームを復号化する。
【００３０】
ステップ４１０では、スマートフォン２００は、復号化されたデータを、スマートＴＶにより受け入れ可能なフォーマットに符号化する。
【００３１】
ステップ４２０では、スマートフォン２００は、フォーマットされたデータを、双方が接続された直接通信チャネル２４０（例えば、ＷｉＦｉ）を用いてスマートＴＶに伝える。
【００３２】
ステップ４３０では、スマートＴＶ２３０は、音声／映像データを再生／表示する。
【００３３】
図５は、発信音声／映像ストリームのハンドリングを示すフローチャートである。
【００３４】
ステップ５００では、スマートＴＶ２３０は、そのマイク及び／又はカメラを用いて音声／映像ストリームをキャプチャする。
【００３５】
ステップ５１０では、スマートフォン２００は、キャプチャされた音声／映像データをスマートＴＶ２３０から受信する。
【００３６】
ステップ５２０では、スマートフォン２００は、スマートＴＶ２３０から受信した音声／映像データを復号化する。
【００３７】
ステップ５３０では、スマートフォン２００は、スマートＴＶ２３０から受信した音声／映像データを、スマートフォン２１０により受け入れ可能なフォーマットへ符号化する。
【００３８】
ステップ５４０では、スマートフォン２００は、符号化された音声／映像データをスマートフォン２１０へ送信する。
【００３９】
符号化／復号化機能は、スマートＴＶの機能に応じて、スマートフォン２００とスマートＴＶ２３０とで別々に分割されてもよい。例えば、スマートＴＶ２３０は、スマートフォン２１０への通信に適した音声／映像フォーマットを供給する機能を有してもよく、その場合ステップ５３０は必要ない。
【００４０】
別の例では、スマートフォンは、通話状態でなく、音声／ビデオ要素を含むアプリケーションを動作してもよい。アプリケーションは、上記で提案されるようなスマートＴＶでカメラ及び／又はマイクを使用することができる。例えば、（スマートフォンで動作している）アプリケーションは、スマートＴＶのカメラから入力を受け、いくつかのフィルタ（例えば、“ファニー  ミラー（ｆｕｎｎｙ  ｍｉｒｒｏｒ）”効果用の画像のストレッチパーツ）を適用し、スマートＴＶにその結果を返して表示してもよい。
【図１】
2016514380.tif 000003
【図２】
2016514380.tif 000004
【図３】
2016514380.tif 000005
【図４】
2016514380.tif 000006
【図５】
2016514380.tif 000007
【国際調査報告】
2016514380.tif 000008
2016514380.tif 000009
2016514380.tif 000010